(57)【要約】【課題】直進駆動と回転駆動をそれぞれ制御でき、シンプルな構造で信頼性の高いモータを提供する。【解決手段】円筒の中空部を有する二次側導体２と、二次側導体２の中空部にギャップを保持して配置された円柱状の電機子鉄心１と、電機子鉄心１に複数のコイル群を螺旋状に巻回した巻線群３に流す電流の大きさと周波数により起磁力Ｆ１を調整し、推力Ｆ１ａ（直進駆動）と回転力Ｆ１ｒ（回転駆動）を制御する。【選択図】  図２
2004320934.tif 000002
【特許請求の範囲】
【請求項１】
円筒の中空部を有する二次側導体と、前記二次側導体の中空部にギャップを保持して配置された円柱状の電機子鉄心と、前記電機子鉄心に複数のコイル群を螺旋状に巻回した２組の巻線群とを備え、前記２組の巻線群を互いに交差するように巻回配置し、この巻線群に流す電流の大きさと周波数を調整し、回転駆動と直進駆動を制御するリニア誘導モータ。
【請求項２】
２組の巻線群が交差する角度により、出力の割合を変更する請求項１に記載のリニア誘導モータ。
【請求項３】
電機子鉄心に螺旋状の溝部または突起部を設けた請求項１または請求項２に記載のリニア誘導モータ。
【請求項４】
１組の巻線群は６列のコイル群で構成され、コイル群の片端側で１列目と４列目、２列目と５列目、３列目と６列目をそれぞれ接続して、Ｕ相、−Ｗ相、Ｖ相、−Ｕ相、Ｗ相、−Ｖ相の順に配列した請求項１から請求項３のいずれか１項に記載のリニア誘導モータ。
【請求項５】
二次側導体を可動子とした請求項１から請求項４のいずれか１項に記載のリニア誘導モータ。
【請求項６】
請求項１から請求項５のいずれか１項に記載のリニア誘導モータを搭載した部品実装機。
【発明の詳細な説明】
【０００１】
【発明の属する技術分野】
本発明は、一つのモータで回転駆動と直進駆動を制御できるリニア誘導モータに関する。
【０００２】
【従来の技術】
従来、部品実装機の先端部において、回転駆動と直進駆動が必要な場合には、回転型モータと直進型モータの二つを組み合わせて用いていた。
【０００３】
また、一つのモータで回転駆動と直進駆動を行うモータも有るが、大変複雑な構造であった（例えば、特許文献１参照）。
【０００４】
【特許文献１】
実開平５−１８２７０号公報
【０００５】
【発明が解決しようとする課題】
しかしながら、上記従来の回転型モータと直進型モータを個別に組み合わせたもので、全体的に大きくかつ重くなり、課題があった。
【０００６】
また、実装機の先端を動かすのに大きなトルクが必要となるため、電力消費量が大きくなり、課題があった。
【０００７】
さらに、複雑な構成を伴うモータではコストと信頼性の面に課題があった。
【０００８】
本発明はこのような従来の課題を解決するものであり、直進駆動と回転駆動をそれぞれ制御でき、シンプルな構造で信頼性の高いモータを提供することを目的とする。
【０００９】
【課題を解決するための手段】
上記課題を解決するために本発明のリニア誘導モータは、円筒の中空部を有する二次側導体と、前記二次側導体の中空部にギャップを保持して配置された円柱状の電機子鉄心と、前記電機子鉄心に複数のコイル群を螺旋状に巻回した２組の巻線群とを備え、前記２組の巻線群を互いに交差するように巻回配置し、この巻線群に流す電流の大きさと周波数により起磁力を調整し、回転駆動と直進駆動を制御する。
【００１０】
【発明の実施の形態】
上記の課題を解決するために請求項１に記載のリニア誘導モータは、２組の巻線群を互いに交差するように巻回配置し、それぞれに巻回されたコイルに対して直交方向の進行磁界を発生させ、電流の大きさと周波数を調整し、回転駆動と直進駆動をそれぞれ制御することができる。
【００１１】
また、請求項２に記載のリニア誘導モータは、二次側導体には巻線と直交方向の起磁力が誘起されるため、巻線群の交差角度によって回転力と直進力の分配比をあらかじめ設定できる。
【００１２】
また、請求項３に記載のリニア誘導モータは、電機子鉄心に設けた溝部または突起部によって、コイルの巻回作業を容易化できる。
【００１３】
また、請求項４に記載のリニア誘導モータは、コイル群の片端側で接続し、Ｕ相、−Ｗ相、Ｖ相、−Ｕ相、Ｗ相、−Ｖ相の順に配列することで、電機子巻線による起磁力の波形を正弦波に近づけることができる。これによって高調波成分を減らし、回転トルクまたは直進力を大きくすることができる。
【００１４】
また、請求項５に記載のリニア誘導モータは、二次側導体を可動子としたもので、可動側に巻線がないため断線することがない。
【００１５】
さらに、部品実装機のヘッド軸のように直進と回転の２方向駆動が必要な用途に上記のリニア誘導モータを用いれば、駆動源の構成をシンプルにすることができる。また、ヘッド軸を軽量化でき、可動させるモータの負担を軽減することができる。
【００１６】
【実施例】
本発明の一実施例のリニア誘導モータについて図を参照しながら説明する。
【００１７】
図１において、円筒状の電機子鉄心１に、複数のコイル群を螺旋状に巻回した第一巻線群３および第二巻線群４を設けて電機子を構成して固定側、円筒状の中空部を有する二次側導体２を可動側（可動子）とする。
【００１８】
アルミ製の二次側導体２は、簡素な構成で軽量化できるため、加速性能の面からも都合がよい。また、可動側との連結が容易となる。
【００１９】
２組の巻線群と二次側導体２の中空部間のギャップを保持した状態で、第一巻線群３と第二巻線群４に流す電流の大きさと周波数を制御することで、後述するように二次側導体２の回転駆動と直進駆動をそれぞれ制御できる。
【００２０】
次に、電機子の製作について説明する。電機子鉄心１の外周には、交差した螺旋状の溝部（あるいは突起部）を設けており、巻回作業の容易化と巻線群の固定が容易となる。なお、この螺旋形状と交差角度は、出力である回転力および推力と関係するが、これについては後述する。
【００２１】
電機子鉄心１の外周面を絶縁処理した後、螺旋状の溝部に沿って第一巻線群３を巻回する。その上から第二巻線群４を交差するように巻回し、２つの巻線群をワニスなどの絶縁材料で電機子鉄心１に固定する。
【００２２】
第一巻線群３および第二巻線群４は、それぞれ６本のコイル群で構成され、Ｕ相巻線５、−Ｗ相巻線６、Ｖ相巻線７、−Ｕ相巻線８、Ｗ相巻線９、−Ｖ相巻線１０の配列になるように片側の端部を接続する。
【００２３】
次に、２組の巻線群と二次側導体間の出力の関係について、理解し易いように第一巻線群３と第二巻線群４とに分けて説明する。
【００２４】
まず、第一巻線群３にＵ相，Ｖ相，Ｗ相に交流電流を印加すると二次側導体である可動子２に、３相コイルと直交方向に起磁力Ｆ１（ベクトル量）が誘起され、可動子２は回転しながら前進する（図２参照）。２相の接続順を変えれば、逆方向の−Ｆ１が誘起される。上述したように２組の巻線群は、電機子鉄心１の溝部で固定されており、通電による絶縁不良を防止できる。
【００２５】
この起磁力Ｆ１は、推力Ｆ１ａ（アキシャル方向）と回転力Ｆ１ｒ（回転方向）とに分けることができる。換言すれば、推力Ｆ１ａと回転力Ｆ１ｒのベクトル合成したものが起磁力Ｆ１である。
【００２６】
したがって、螺旋状に巻回するコイル群の角度を変えれば、誘起する起磁力Ｆ１の方向を変えることができる。すなわち、螺旋状の角度によって推力Ｆ１ａと回転力Ｆ１ｒが任意に設定できる。この角度はあらかじめ設定できる。
【００２７】
同様に、第二巻線群４にＵ相，Ｖ相，Ｗ相の順に交流電流を与えると、３相コイルと直交方向に起磁力Ｆ２が発生し、可動子２は回転しながら前進する（図３参照）。接続順の変更により−Ｆ２となるのも同じである。
【００２８】
図２および図３から分かるように、２組の巻線群によって発生する起磁力Ｆ１と起磁力Ｆ２の違いは、同じ直進方向の推力に対して逆方向の回転力を持つことである。
【００２９】
そこで、２組の巻線群の両方に同じ起磁力が発生するように電流を供給すれば、Ｆ１ａとＦ２ａは同じ方向に同じ力を持ち、直進力は２倍となる。ところが、Ｆ１ｒとＦ２ｒは逆方向の回転力なので打ち消され、可動子２は回転せずに直進駆動する。
【００３０】
さらに、片方の巻線群のみ接続順を変更して、反対方向の起磁力を発生させるように電流を供給すれば、今度は推力が打ち消され、回転力は２倍となる。すなわち、可動子２は直進せずに回転駆動する。
【００３１】
このように、２組の巻線群の接続方法により直進あるいは後退、ＣＷあるいはＣＣＷの両駆動を個別に制御できる。また、直進力と回転力の大きさは、電流の大きさによって調整できる。また、２つの巻線群に通電して回転させながら直進させることも可能で、２組の巻線群の電流と周波数の割合を調整して、所望の回転駆動と直進駆動を得るように制御する。
【００３２】
このように巻線群の交差する角度、電流および周波数によって直進方向と回転方向の出力の割合を任意に設定できるシンプル構成のため、２方向駆動を必要とする部品実装機などに最適である。
【００３３】
また、出力部を回転駆動および直進駆動させるには、可動子の外周に出力部と転がり軸受とを装着し、転がり軸受の内輪を可動子に固着、外輪をスライド軸受で保持して固定子と可動子のギャップを確保すればよい。
【００３４】
【発明の効果】
上記の実施例から明らかなように請求項１に記載の発明によれば、それぞれに巻回された辺に対して直交方向の進行磁界を発生させ、２組の巻線群に流す電流の大きさと周波数を制御することで回転駆動と直進駆動をそれぞれ制御できる。
【００３５】
また、請求項２に記載の発明によれば、２組の巻線群の交差角度によって回転トルクまたは直進力への分配度合いを変更できる。
【００３６】
また、請求項３に記載の発明によれば、電機子鉄心に溝部（あるいは突起部）を設けることによって、コイルの巻回作業が容易となり、起磁力で巻線群が動き絶縁不良になるのを防止できる。
【００３７】
また、請求項４に記載の発明によれば、起磁力の波形を正弦波に近づけることができ、回転トルクまたは直進力を大きくすることができる。
【００３８】
さらに、請求項５あるいは請求項６に記載の発明によれば、断線することがなく、直進と回転の２方向駆動が必要な部品実装機など、駆動源の構成をシンプルにすることができる。
【図面の簡単な説明】
【図１】本発明の一実施例におけるリニア誘導モータの斜視図
【図２】本発明の第一巻線群と起磁力の説明図
【図３】本発明の第二巻線群と起磁力の説明図
【符号の説明】
１  電機子鉄心
２  二次側導体（可動子）
３  第一巻線群
４  第二巻線群
５  Ｕ相巻線
６  −Ｗ相巻線
７  Ｖ相巻線
８  −Ｕ相巻線
９  Ｗ相巻線
１０  −Ｖ相巻線
Ｆ１、Ｆ２  起磁力
Ｆ１ａ、Ｆ２ａ  推力
Ｆ１ｒ、Ｆ２ｒ  回転力
【図１】
2004320934.tif 000003
【図２】
2004320934.tif 000004
【図３】
2004320934.tif 000005